(57)【要約】      （修正有）【課題】公衆の小便器に設置して、小便の出し終わりの垂れを防ぐことができる便器尿垂れ補助装置を提供する。【解決手段】便器尿垂れ補助装置を略矩形の領域を枠状に囲み、略矩形の領域の外側に延在する足部１１４を有する枠体１１０と、枠体１１０の足部を差し込む割れ目が設けられたサイコロ状のサイコロ部及び便器２１０に固定する固定部を有する固定具１２０と、枠体１１０に着脱可能に被せるカバー１３０と、を備え、固定具１２０は、便器２１０の端部に固定され、枠体１１０は、足部１１４をサイコロ部の割れ目に差し込んで固定具１２０に固定され、枠体１１０を水平面より上方に傾斜して便器２１０に固定可能であるようにして構成する。【選択図】図２
0003196333.tif 000002
【実用新案登録請求の範囲】
【請求項１】
略矩形の領域を枠状に囲み、前記略矩形の領域の外側に延在する足部を有する枠体と、
前記枠体の足部を差し込む割れ目が設けられたサイコロ状のサイコロ部及び便器に固定する固定部を有する固定具と、
前記枠体に着脱可能に被せるカバーと、を備え、
前記固定具は、前記便器の端部に固定され、
前記枠体は、前記足部を前記サイコロ部の割れ目に差し込んで前記固定具に固定され、
前記枠体を水平面より上方に傾斜して前記便器に固定可能であることを特徴とする便器尿垂れ補助装置。
【請求項２】
請求項１に記載の便器尿垂れ補助装置において、
前記枠体を便器に設置する傾斜角は、水平面より上方に略４５度で固定されることを特徴とする便器尿垂れ補助装置。
【請求項３】
請求項１または２に記載の便器尿垂れ補助装置において、
前記枠体は、前記足部に対向する一辺において便器側に略２０度の傾斜で屈曲する屈曲部を有することを特徴とする便器尿垂れ補助装置。
【請求項４】
請求項１乃至３のいずれか１つに記載の便器尿垂れ補助装置において、
前記固定具は、弾力性を有するプラスチック製であることを特徴とする便器尿垂れ補助装置。
【請求項５】
請求項１乃至４のいずれか１つに記載の便器尿垂れ補助装置において、
前記カバーは、略矩形状の袋状に綴じられ、
前記カバーの袋状において互いに対向する第１及び第２の面のうちの前記第１の面は、前記第１の面の長手方向において前記第２の面よりも長く、
前記第１の面の一端は前記第２の面に綴じられ、他端には重りが取り付けられている
ことを特徴とする便器尿垂れ補助装置。
【請求項６】
請求項１乃至５のいずれか１つに記載の便器尿垂れ補助装置であって、
前記固定具の固定部は、便器に固定するための万力から構成されることを特徴とする便器尿垂れ補助装置。
【請求項７】
請求項１乃至５のいずれか１つに記載の便器尿垂れ補助装置であって、
前記固定具の固定部は、バネの弾性力によって便器の端部を挟み込んで固定するハサミ部から構成されることを特徴とする便器尿垂れ補助装置。
【考案の詳細な説明】
【技術分野】
【０００１】
本考案は、男性用の小便器の機能を補助する便器尿垂れ補助装置に関し、特に、小便による男性用小便器の周辺及び、小便をするものの衣服の汚染を防止する尿垂れ防止器に関する。
【背景技術】
【０００２】
従来、公衆トイレなどに設置された男性用小便器には種々の形状を有するものがあるが、一般的に、使用時の尿垂れによって汚染が進行するという問題がある。男性用小便器の使用時の最中に、小便は一定の方向に放射されないために、小便のだし終わりの垂れが小便をする者の衣服を汚染したり、男性用小便器の周辺を汚染したりすることが多々あるのが現状である。
【０００３】
公衆トイレの汚染防止を目的とする技術として、例えば特許文献１がある。特許文献１に係る尿受器本体はタイル、合性樹脂等の素材で構成されている。しかしながら、該尿受器本体がタイル又は、合性樹脂等の素材で製造されていることにより、比較的その製造単価が高価になるという問題を有する。さらに、尿受器本体と一体となっている跳ね止め品は、繊維の編込品又は短毛ブラシ状に成形したシートを尿受器本体の上面に組み付けて一体に構成されている。この場合、該繊維の編込品又は短毛ブラシ状に成形したシートの洗浄は容易とは考えられないので、繰り返し使用する際の衛生面に問題がある。加えて、既製の小便器の尿受部を単に延長して小便の跳ねや飛散を防止するものであるので、小便の出し終わりの垂れを有効に防止できない。
【先行技術文献】
【特許文献】
【０００４】
【特許文献１】登録実用新案第３０４９３２８号公報
【考案の概要】
【考案が解決しようとする課題】
【０００５】
本考案は、公衆の小便器に設置して、小便の出し終わりの垂れを防ぐことができる便器尿垂れ補助装置を提供することを目的とする。
【課題を解決するための手段】
【０００６】
第１の考案は便器尿垂れ補助装置に係り、
略矩形の領域を枠状に囲み、前記略矩形の領域の外側に延在する足部を有する枠体と、
前記枠体の足部を差し込む割れ目が設けられたサイコロ状のサイコロ部及び便器に固定する固定部を有する固定具と、
前記枠体に着脱可能に被せるカバーと、を備え、
前記固定具は、前記便器の端部に固定され、
前記枠体は、前記足部を前記サイコロ部の割れ目に差し込んで前記固定具に固定され、
前記枠体を水平面より上方に傾斜して前記便器に固定可能であることを特徴とする。
【０００７】
第２の考案は、便器尿垂れ補助装置に係り、第１の考案に記載の便器尿垂れ補助装置において、
前記枠体を便器に設置する傾斜角は、水平面より上方に略４５度で固定されることを特徴とする。
第３の考案は、便器尿垂れ補助装置に係り、第１の考案または第２の考案に記載の便器尿垂れ補助装置において、
前記枠体は、前記足部に対向する一辺において便器側に略２０度の傾斜で屈曲する屈曲部を有することを特徴とする。
【０００８】
第４の考案は、第１乃至第３の考案のいずれか１つに記載の便器尿垂れ補助装置に係り、
前記固定具は、弾力性を有するプラスチック製であることを特徴とする。
【０００９】
第５の考案は、第１乃至４の考案のいずれか１つに記載の便器尿垂れ補助装置に係り、
前記カバーは、略矩形状の袋状に綴じられ、
前記カバーの袋状において互いに対向する第１及び第２の面のうちの前記第１の面は、前記第１の面の長手方向において前記第２の面よりも長く、
前記第１の面の一端は前記第２の面に綴じられ、他端には重りが取り付けられている
ことを特徴とする。
【００１０】
第６の考案は第１乃至５の考案のいずれか１つに記載の便器尿垂れ補助装置に係り、
前記固定具の固定部は、便器に固定するための万力から構成されることを特徴とする。
【００１１】
第７の考案は  第１乃至５の考案のいずれか１つに記載の便器尿垂れ補助装置に係り、
前記固定具の固定部は、バネの弾性力によって便器の端部を挟み込んで固定するハサミ部から構成されることを特徴とする。
【考案の効果】
【００１２】
本考案に係る便器尿垂れ補助装置によると、公衆の小便器に設置して、小便の出し終わりの垂れを防ぐことができる。また、被膜された金属などの安価な素材で、種々の形状の公衆便器に、安易に取り付けられる便器尿垂れ補助装置を製造することができる。そのため、公衆便所の衛生環境の向上に貢献する便器尿垂れ補助装置を提供できる。
【図面の簡単な説明】
【００１３】
【図１】本考案に係る便器尿垂れ補助装置を備えた男性用小便器の正面図である。
【図２】本考案に係る便器尿垂れ補助装置を備えた男性用小便器の側面図である。
【図３】図３の（ａ）は本考案に係る便器尿垂れ補助装置を備えた男性用小便器の拡大正面図である。図３の（ｂ）は本考案に係る便器尿垂れ補助装置の固定具の上面図である。
【図４】図４は本考案に係る便器尿垂れ補助装置にカバーが被せられた状態を示す男性用小便器の拡大正面図である。
【図５】図５の（ａ）は本考案に係る便器尿垂れ補助装置の枠体１１０の正面図である。図５の（ｂ）は本考案に係る便器尿垂れ補助装置の枠体１１０のＡ−Ａ線断面図である。
【図６】図６の（ａ）は本考案に係る便器尿垂れ補助装置の固定具１３０の正面図である。図６の（ｂ）は本考案に係る便器尿垂れ補助装置の固定具１２０の側面図である。図６の（ｃ）は本考案に係る便器尿垂れ補助装置の固定具１３０の側面図である。
【図７】図７の（ａ）は本考案に係る便器尿垂れ補助装置のカバーの正面図である。図７の（ｂ）は本考案に係る便器尿垂れ補助装置のカバーのＢ−Ｂ線断面図である。
【図８】図８は別の形状を有する小便器の上面図である。（ａ）はＶ字型、（ｂ）はＵ字型、（ｃ）はＶ字型とＵ字型の混合型である。
【図９】図９は別の形状を有する小便器の側面図である。
【図１０】図１０の（ａ）は固定具として万力を利用した固定具を有する便器尿垂れ補助装置の側面図である。図１０の（ｂ）は該固定具の上面図である。
【図１１】図１１の（ａ）は洗濯バサミの形状をした固定具の側面図である。図１１の（ｂ）は該固定具の上面図である。
【考案を実施するための形態】
【００１４】
以下、本考案の実施形態１に係る便器尿垂れ補助装置を、図面を用いて説明する。
【００１５】
図１は、本考案に係る便器尿垂れ補助装置を小便器に取り付けた概要を示す正面図である。図２は、本考案に係る便器尿垂れ補助装置を便器に取り付けた概要を示す側面図である。
【００１６】
図１において、１００は本考案に係る便器尿垂れ補助装置である。本考案に係る便器尿垂れ補助装置１００は、主に公衆の小便器に取り付けられ、小便の終わり際の尿垂れを防ぐために用いられる。
【００１７】
男性用の小便器は、特に小便の終わり際に尿垂れによって、小便をする者の衣服を汚染したり、男性用小便器の周辺に飛散して周囲を汚してしまうことが多い。そこで、本考案者は、便器尿垂れ補助装置を男性用の小便器に取り付けることによって、終わり際の尿垂れを防止する効果の高い構造を有する便器尿垂れ補助装置を考案した。
【００１８】
本考案に係る便器尿垂れ補助装置１００は、例えばビニール等で被膜された金属で形成された略長方形状の枠体１１０と、該枠体１１０を便器に固定する固定具１２０と、該枠体１１０に着脱可能に被せて使用するカバー１３０から構成される。また、２００は、小便器の尿受け部分であり、図２に示すように使用者側に突出している。便器尿垂れ補助装置１００は、便器尿受け部分２００の内壁に固定されて設置される。
【００１９】
公衆の小便器は、大きさや形状が様々あり、いずれの形状の便器にも便器尿垂れ補助装置を取り付け可能であることが好ましい。そこで、本考案に係る便器尿垂れ補助装置は、多様な形状の便器に容易に取り付けることのできる固定具１２０を有する。
【００２０】
また、公衆の小便器は、家庭の便器と異なり、使用頻度が多いために、ともすれば不衛生になりがちである。公衆小便器を衛生的に使用するためには、清掃の負担を軽減できることが望まれる。そこで本考案に係る便器尿垂れ補助装置には、使い捨てできる袋状シートのカバー１３０を有する。
【００２１】
ここで、便器尿垂れ補助装置１００の固定具１２０は、図２に示すように、便器２００の最も使用者に近接する位置の内壁に、接着して設置される。枠体１１０は、足部を該固定具１２０に差し込むことによって固定される。１１４は、枠体１１０の足部である。このとき枠体１１０は、角度を付けて固定具１２０に固定される。角度を持たせて設置されることで尿垂れを効果的に防ぐことができる。この角度は図２に示されるように上方に向かって略４５度近辺であることが望ましい。
【００２２】
図３（ａ）は、便器尿垂れ補助装置１００を便器に取り付けた様子を示す拡大正面図である。図３（ｂ）は、固定具１２０の上面図である。図４は、図３の便器尿垂れ補助装置１００にカバー１３０を被せた様子を示す正面図である。
【００２３】
便器尿垂れ補助装置１００は、図３（ａ）に示すように、便器２００に固定具１２０を介して枠体１１０を固定して、便器２００に設置される。枠体１１０の足部１１４は、図３（ｂ）に示す固定具１２０の割れ目１２４に差し込まれ、割れ目１２４を貫通して固定される。さらに、図４に示すように、カバー１３０が、図３（ａ）に示す枠体１１０に被せられる。
【００２４】
便器尿垂れ補助装置１００は、以上のように便器２００に設置されることで、小便の出し終わりの垂れを受け止めて、便器から尿が漏れることを防ぐことができる。また、後述するように、枠体１１０の上部の中央部分は屈曲していて、それにより小便の出し終わりの垂れを効果的に受け止められる。
【００２５】
また、図３及び図４に示すように、カバー１３０は、枠体１１０に着脱可能に被せて使用する。カバー１３０は、後述するように特有の袋形状を有し、容易に取り外すことができるので、衛生的である。
【００２６】
以下、便器尿垂れ補助装置１００を構成する枠体１１０、固定具１２０及びカバー１３０の詳細について、それぞれ図５乃至７を用いて説明する。
【００２７】
図５は、本考案に係る便器尿垂れ補助装置１００を構成する枠体１１０の正面図（ａ）と、Ａ−Ａ線断面図（ｂ）である。
【００２８】
枠体１１０は、略矩形の領域を囲む枠状の部材である。枠体１１０の材質は、被膜された金属またはプラステック材料などである。また枠体１１０の断面は、断面図（ｂ）に示すように、例えば略円状である。枠体１１０は、便器尿垂れ補助装置におけるカバー１３０を被せるための矩形部分１１１を有する。
【００２９】
図５の正面図（ａ）に示すように、枠体１１０が囲む領域の全体的な形状は、矩形であるが、下側長辺の中央付近に開口部がある。開口部の両端は、略９０度折れ曲がって並列に延在し、枠体１１０の足部１１４となる。枠体１１０の足部１１４は、後述するように、固定具１２０に差し込まれる。
【００３０】
また、枠体上部１１２は、枠体上部１１２の長手方向の中間付近に、図５の正面図（ａ）の紙面手前方向に折れ曲がる屈曲部１１３を有する。屈曲部１１３は、図５の断面図（ｂ）に示されるように、略２０度の傾斜を有する。
【００３１】
枠体１１０の屈曲部１１３は、後述するように、便器尿垂れ補助装置１００が便器に取り付けられた場合、便器側の向きに湾曲している。このとき枠体の矩形部分１１１は、水平面より上方に略４５度傾いて、固定具に設置される。また、枠体の矩形部分１１１の枠体上部の長さは略１３ｃｍから１５ｃｍであるが、これに限定するものではない。
【００３２】
図６は、本考案に係る便器尿垂れ補助装置１００を構成する固定具１２０の正面図（ａ）と、側面図（ｂ）、（ｃ）である。正面図（ａ）において、１２２は凹み部分であり、１２１はサイコロ状部である。１２３は固定部であり、固定部は接着面からなる。１２４はサイコロ状部１２１に設けられた割れ目である。
【００３３】
固定具１２０は、枠体１１０を便器に固定するための部材である。固定具１２０は、弾力性を有するプラスチック素材によって形成される。固定具１２０は、図６に示すように接着面１２３を有し、様々な形状の便器の内側に接着面１２３を接着して、設置する。
【００３４】
固定具１２０は、略直方体の長辺方向の接着面１２３を除く他の３面の中央部に凹みを有する形状であり、凹みを挟む固定具の両端は、略２ｃｍのサイコロ状である。また、２つのサイコロ部１２１の水平面側の面には中央部に貫通する割れ目１２４を有する。割れ目１２４は、サイコロ部分１２１において、枠体１１０の足部１１４を差し込んで保持するために設けられている。
【００３５】
便器との接着面１２３は、側面図（ｃ）に示すように、長方形である。固定具１２０は、本体中央部に凹みを有するために、柔軟に変形でき、様々な便器の形状に対応して固定できる。
【００３６】
図７は、本考案に係る便器尿垂れ補助装置１００を構成する枠体１１０に被せるカバー１３０の正面図（ａ）と、Ｂ−Ｂ線断面図（ｂ）である。図７の正面図（ａ）において、１３１は第１の面であり、１３２は第２の面である。１３３は重りである。
【００３７】
カバー１３０は、枠体１１０に着脱可能に被せて使用する。カバー１３０は、使い捨てて使用でき、衛生的である。かつ安価である。カバー１３０の形状は、矩形の袋状であり、袋状に綴じられて対向する第１及び第２の面１３１と１３２のうちの第１の面１３１が第２の面１３２よりも長い。
【００３８】
後述するように、便器尿垂れ補助装置を便器に取り付けた場合、カバーの便器側に長い第１の面１３１を向け、使用者側に短い第２の面１３２を向けて使用する。カバー１３０は、上述のように枠体１００に被せて使用するので、着脱が容易である。
【００３９】
またカバー１３０には、便器側の面（第１面）１３１の先端付近に、重り１３３が取り付けられている。重り１３３は、例えば砂鉄などの軽い重りでよい。カバー１３０に重り１３３をつけておくことで、便器尿垂れ補助装置の使用中にカバーがめくれ上がることを抑制する。
【００４０】
次に、本考案の便器尿垂れ補助装置１００の取り付け方法について、図２乃至図７を用いて説明する。
【００４１】
まず、固定具１２０を、図２に示すように、便器の使用者側に凸型に突出している部分２００の上部の内壁に対して固定するように、設置する。具体的には、図６に示すように該固定具１２０には一面に接着面１２３が設けられており、この接着面１２３を便器２００の内壁に接着して、固定具１２０を設置する。このとき、固定具１２０は、図３（ｂ）に示すように、サイコロ部１２１の割れ目１２４を便器２００の上方に向けて設置される。
【００４２】
次に、図３に示すように、該サイコロ部１２１に設けられた割れ目１２４に、枠体１１０の足部１１４を差し込んで貫通させる。これにより、該枠体１１０はサイコロ部１２１の弾性力によって割れ目１２４に挟まり、便器の使用者側に凸型に突出している部分２００に固定される。
【００４３】
このとき、固定具１２０は、図２に示すように、該枠体１１０を水平方向から一定の角度で傾けて支持することとなる。すなわち、固定具１２０は、該枠体１１０の矩形部分１１１を使用者側の向きに傾斜した状態で、該枠体１１０を便器２００に固定する。より詳細には、該枠体１１０を、水平面より上方に略４５度傾けるとともに、略１０ｃｍ程度使用者の側に突出した状態で固定する。また、矩形部分１１１の上部１１２の中心点付近に略２０度便器側に湾曲して形成された該凹部１１３（図５参照）は、便器２００の正面中心線上に位置する。このように、便器尿垂れ補助装置１００を設置する際に、枠体１１０を、略４５度の傾斜をもって使用者側に突出して設置し、それとともに、矩形部分１１１の上部１１２を凹部形状とする。
【００４４】
次に、図４に示すように、おもり１３３の付いている第１の面１３１を便器側に向け、他方の第２の面１３２を使用者側に向けて、枠体１１０にカバー１３０を被せる。図７に示す第１の面１３１の先端に付けられたおもり１３３によって、排尿中にカバー１３０がめくれ上がることを抑制できる。また、第２の面１３２が第１の面１３１よりも短いことにより、カバー１３０の着脱を容易にでき、使用済みのカバー１３０を取り換えることで衛生的に使用できる。
【００４５】
以上のように、本考案の便器尿垂れ補助装置１００は、枠体１１０と、固定具１２０と、カバー１３０とをそれぞれ組み付けることで、公衆の小便器などに、簡易に取り付けることができる。
【００４６】
図８は、様々な形状を有する小便器の上面図であり、様々な形状の小便器に取り付けた固定具１２０の例示である。図９は、さらに別の形状を有する小便器の側面図である。図８における小便器の上面図の形状は、（ａ）はＶ字型、（ｂ）はＵ字型、（ｃ) はＶ字型とＵ字型の混合型である。
【００４７】
図８において、便器尿垂れ補助装置１００を構成する固定具１２０は、様々な便器の内壁の形状に合わせて取り付けられている。固定具１２０は図６に示すように、本体中央部に凹み１２２を有するために、薄く柔らかいので、便器の内壁の形状に合わせて柔軟に変形できる。そのため、固定具１２０の接着面１２３は、図８に示すように、Ｖ字型、Ｕ字型、およびＶ字型とＵ字型の混合型などの様々な形状の小便器の内壁に接着できる。ゆえに、便器尿垂れ補助装置１００は、小便器の形状に左右されず設置することが可能である。
【００４８】
なお、本実施形態において固定具１２０は、図６に示すように２つのサイコロ部分１２１を一体として形成したが、２つのサイコロ部分１２１をそれぞれ別体で形成しても良い。これにより、固定具１２０を小便器の内壁に固定する自由度が増し、便器尿垂れ補助装置１００を、さらに多様な小便器に設置することができる。
【００４９】
以上の本実施形態に係る便器尿垂れ補助装置によると、略矩形の領域を枠状に囲み、略矩形の領域の外側に延在する足部を有する枠体１１０と、枠体の足部１１４を差し込む割れ目１２４が設けられたサイコロ状のサイコロ部１２１及び便器に固定する固定部１２３を有する固定具１２０と、枠体に着脱可能に被せるカバー１３０と、を備え、固定具１２０は、便器の端部に固定され、枠体１１０は、足部１１４をサイコロ部の割れ目１２４に差し込んで固定具１２０に固定され、枠体１１０を水平面より上方に傾斜して便器に固定可能であることを特徴とする。
【００５０】
これにより、公衆の小便器に設置して、小便の出し終わりの垂れを防ぐことができる。また、被膜された金属などの安価な素材で、種々の形状の公衆便器に、安易に取り付けられる便器尿垂れ補助装置を製造することができる。そのため、公衆便所の衛生環境の向上に貢献する便器尿垂れ補助装置を提供できる。
【００５１】
次に、本考案を実施するための形態２について説明する。実施の形態１では、便器尿垂れ補助装置を便器に接着して固定したが、実施形態２では、万力を利用して便器尿垂れ補助装置を便器に固定する。以下、実施形態２に係る便器尿垂れ補助装置について、図面を用いて説明する。
【００５２】
図１０は、便器尿垂れ補助装置１００を構成する固定具の別例である。（ａ）は枠体を設置した固定具の側面図であり、（ｂ）は固定具の上面図である。
【００５３】
図１０に示すように、固定具１５０は、接着ではなく万力を利用して便器に便器尿垂れ補助装置１００を固定する。固定具１５０は、万力部１４０と、サイコロ部１２１を備える。ここで、サイコロ部１２１の構造は実施の形態１と同様であるので、説明は省略する。
【００５４】
サイコロ部１２１は図１０に示すように、万力部１４０の上部に設置される。万力部１４０の１４１，１４２は、例えばゴム等からなる。１４３は万力部のハンドルである。ここで、ハンドル１４３を回転させることにより、１４１と１４２の間に便器の縁を挟み、便器尿垂れ補助装置１００を便器に固定する。固定具１５０を便器に取り付けるときに、接着ではなく万力を利用すること以外は、実施の形態１と同様であるので、説明は省略する。
【００５５】
以上のように、接着ではなく万力を利用して便器に便器尿垂れ補助装置１００を固定することにより、便器尿垂れ補助装置をより堅固に固定することが可能になるとともに、便器尿垂れ補助装置の取り外しが容易化される。
【００５６】
次に、本考案を実施するための形態３について説明する。実施形態２では、万力を利用して便器尿垂れ補助装置を便器に固定したが、実施形態３では、バネの弾性力によって便器尿垂れ補助装置を便器に固定する。以下、実施形態３に係る便器尿垂れ補助装置について、図面を用いて説明する。
【００５７】
図１１は、便器尿垂れ補助装置１００を構成する固定具の別例である。（ａ）は固定具の側面図であり、（ｂ）は固定具のサイコロ部の上面図である。
【００５８】
図１１に示すように、固定具１７０は、接着剤で小便器に接着されるのではなく、ハサミ部１６０と、サイコロ部１２１を備える。該ハサミ部１６０は大きな洗濯バサミ形状を有し、バネで便器の縁に便器尿垂れ補助装置１００を固定する。サイコロ部１２１は、ハサミ部１６０の一方の側面に設置される。サイコロ部１２１の割れ目１２４に、前記枠体１１０の足部１１４を差し込んで枠体１１０を固定することは、実施の形態１と同様であるので説明は省略する。
【００５９】
ハサミ部１６０の先端の内側に、小便器に前記便器尿垂れ補助装置を強力に固定するためのゴムを有する。ハサミ部１６０の先端の内側に設置された１６１は例えばゴム等からなる。ゴム部１６１により、便器尿垂れ補助装置１００を便器の突出部２００の縁に挟み、便器に固定する。
【００６０】
以上のように、ハサミ部１６０におけるバネの弾性力によって便器に便器尿垂れ補助装置１００を固定することにより、便器尿垂れ補助装置を設置する位置や角度の再調整が行い易い。
【符号の説明】
【００６１】
１００      便器尿垂れ補助装置
１１０      枠体
１２０      固定具
１３０      カバー
１１１      枠体の矩形部分
１１２      枠体上部
１１３      屈曲部
１１４      枠体の足部
１２１      固定具サイコロ状部
１２２      固定具凹み部分
１２３      固定具の接着面
１２４      固定具の割れ目
１３１      カバー第１の面
１３２      カバー第２の面
１３３      重り
２００      便器の突出部
２１０      便器
【図１】
0003196333.tif 000003
【図２】
0003196333.tif 000004
【図３】
0003196333.tif 000005
【図４】
0003196333.tif 000006
【図５】
0003196333.tif 000007
【図６】
0003196333.tif 000008
【図７】
0003196333.tif 000009
【図８】
0003196333.tif 000010
【図９】
0003196333.tif 000011
【図１０】
0003196333.tif 000012
【図１１】
0003196333.tif 000013